(57)【特許請求の範囲】
【請求項１】
雨水などが降り注がれる床を有する屋外ユニットを複数隣接配置してバルコニや外廊下などを構成したユニット式建物の排水構造において、
前記屋外ユニットが建物本体の出隅部に沿って直角に３つ配置され、
前記各屋外ユニットの床には、互いに隣接する端縁が同じ高さレベルで、かつ、互いに隣接する端縁の一端を水上側とし、その一端と対角をなす隅部に向かうに従って次第に下方へ向かって傾斜した三次元の水勾配が形成されているとともに、
前記各屋外ユニットの水上側が前記建物本体の出隅部に位置するように配置されていることを特徴とするユニット式建物の排水構造。
【発明の詳細な説明】
【０００１】
【産業上の利用分野】
本発明は、ユニット式建物の排水構造に関する。詳しくは、雨水などが降り注がれる床を有する屋外ユニットを複数隣接配置してバルコニや外廊下などを構成したユニット式建物の排水構造に関する。
【０００２】
【背景技術】
工場において製造した各種ユニットを建築現場まで輸送し、そこで組み合わせてユニット式建物を建てるユニット工法においても、複数の居室ユニットで構成した建物本体の周囲に複数のバルコニユニットや外廊下ユニットを隣接配置してバルコニや外廊下を構成することが行われている。
従来、バルコニユニットや外廊下ユニットなどの屋外ユニットには、雨水などが降り注ぐため、その雨水を集めて排水する構造が設けられている。たとえば、従来のバルコニユニットには、建物本体側と接する辺の一隅部を水上側とし、それと対角に位置する隅部に向かって次第に下方へ傾斜する三次元の水勾配が設けられている。
【０００３】
【発明が解決しようとする課題】
ところが、図５に示すように、従来のバルコニユニット１０５Ｂ，１０５Ｃを建物本体１０１の周囲に沿って隣接配置した場合、隣接配置されたバルコニユニット１０５Ｂ，１０５Ｃの三次元の水勾配方向が同一方向になってしまう結果、バルコニユニット１０５Ｂ，１０５Ｃの床１１３Ｂ，１１３Ｃ間に段差１０６が生じてしまうという問題があった。つまり、図６に示すように、バルコニユニット１０５Ｃの水下側と，バルコニユニット１０５Ｂの水上側とが互いに隣接配置されるため、その隣接するバルコニユニット１０５Ｃ，１０５Ｂの床１１３Ｃ，１１３Ｂ間に段差１０６が生じてしまうという問題があった。
【０００４】
本発明の目的は、このような従来の問題を解消し、バルコニユニットなどの屋外ユニットを隣接配置してバルコニや外廊下などを構成した場合でも、隣接するユニット間に段差が生じることがないユニット式建物の排水構造を提供することにある。
【０００５】
【課題を解決するための手段】
本発明のユニット式建物の排水構造は、雨水などが降り注がれる床を有する屋外ユニットを複数隣接配置してバルコニや外廊下などを構成したユニット式建物の排水構造において、前記屋外ユニットが建物本体の出隅部に沿って直角に３つ配置され、前記各屋外ユニットの床には、互いに隣接する端縁が同じ高さレベルで、かつ、互いに隣接する端縁の一端を水上側とし、その一端と対角をなす隅部に向かうに従って次第に下方へ向かって傾斜した三次元の水勾配が形成されているとともに、前記各屋外ユニットの水上側が前記建物本体の出隅部に位置するように配置されていることを特徴とする。
【０００６】
【作用】
本発明の排水構造によれば、隣接配置された屋外ユニットの床の隣接する端縁が同じ高さレベルに形成されているから、互いに隣接する屋外ユニットの床間には段差が生じることがない。
また、屋外ユニットの床の水勾配として、互いに隣接する端縁の一端を水上側とし、その一端と対角をなす隅部に向かうに従って次第に下方へ向かって傾斜した三次元の水勾配としたので、屋外ユニットの水上側から最も離れた水下側の端縁まで雨水を滞留させることなく排水することができる。しかも、この屋外ユニットを建物本体の出隅部に沿って直角に３つ配置し、かつ、各屋外ユニットの水上側を建物本体の出隅部に位置するように配置すれば、各屋外ユニット間に段差を生じさせることなく、大きなバルコニや長い外廊下を形成することができる。
【０００７】
【実施例】
以下、本発明の一実施例を図を参照しながら詳細に説明する。
図１は本実施例のユニット式建物の外観を示す斜視図、図２はその平面図である。これらの図において、１は建物本体で、複数の下階建物ユニット２と、その上に設置された複数の上階建物ユニット３とから２階建てに構成されている。下階建物ユニット２のうち、上面に上階建物ユニット３が設置されてない下階建物ユニット２’の上には、下屋バルコニ４が設けられている。下屋バルコニ４は、下階建物ユニット１’の上に設置された複数（３つ）の下屋バルコニユニット５Ａ，５Ｂ，５Ｃによって構成されている。
【０００８】
前記各下屋バルコニユニット５Ａ〜５Ｃは、図３および図４に示すように、前記下階建物ユニット２’の上に固定される矩形枠状のベースフレーム１１Ａ，１１Ｂ，１１Ｃと、このベースフレーム１１Ａ〜１１Ｃの周囲所定位置に配置された手摺壁１２Ａ，１２Ｂ，１２Ｃと、前記ベースフレーム１１Ａ〜１１Ｃの上面に設けられた床１３Ａ，１３Ｂ，１３Ｃとから構成されている。
【０００９】
前記各床１３Ａ〜１３Ｃは、前記ベースフレーム１１Ａ〜１１Ｃの長辺方向所定間隔おきにその短辺方向に架設された複数本の床下地材１４Ａ，１４Ｂ，１４Ｃと、この複数本の床下地材１４Ａ〜１４Ｃ上に配置された床材１５Ａ，１５Ｂ，１５Ｃと、この床材１５Ａ〜１５Ｃ上に設けられる防水シート（図示省略）とを含み構成されている。各床１３Ａ〜１３Ｃを構成する複数本の各床下地材１４Ａ〜１４Ｃの上面は高さおよび傾斜角度が順に異なる傾斜面に形成され、これにより、各床１３Ａ〜１３Ｃには水勾配が形成されている。
【００１０】
ここでは、互いに隣接する端縁（下屋バルコニユニット５Ａ〜５Ｃの互いに隣接する端縁）が同じ高さレベルで、かつ、隣接する端縁から離れる方向に傾斜する三次元の水勾配が形成されている。つまり、３つの下屋バルコニユニット５Ａ〜５Ｃの互いに隣接する辺が同じ高さレベルで、その辺の一端、ここでは、建物本体１の出隅部に集まる隅部を水上側とし、その隅端と対角をなす隅部に向かうに従って次第に下方へ向かって傾斜した三次元の水勾配が形成されている。
【００１１】
なお、１６Ａ，１６Ｂ，１６Ｃは各下屋バルコニユニット５Ａ〜５Ｃに設けられた排水溝で、それぞれ排水孔１７に向かって下方へ傾斜するように水勾配が形成されている。
【００１２】
従って、本実施例によれば、隣接配置された下屋バルコニユニット５Ａ〜５Ｃの床１３Ａ〜１３Ｃの隣接する端縁を同じ高さレベルに形成してあるから、互いに隣接する下屋バルコニユニット５Ａ〜５Ｃの床１３Ａ〜１３Ｃ間には段差が生じることがない。
また、各下屋バルコニユニット５Ａ〜５Ｃの床１３Ａ〜１３Ｃには、隣接する端縁から離れる方向に傾斜する水勾配、つまり、互いに隣接する端縁の一端（建物本体１の出隅部に集まる隅部）を水上側とし、その一端と対角をなす隅部に向かうに従って次第に下方へ向かって傾斜した三次元水の勾配を形成してあるから、各下屋バルコニユニット５Ａ〜５Ｃの水上側から最も離れた軒先側の端縁まで雨水を滞留させることなく排水することができる。
【００１３】
また、建物本体１の出隅部に沿って下屋バルコニユニット５Ａ〜５Ｃを直角に配置して下屋バルコニ４を構成したので、各下屋バルコニユニット５Ａ〜５Ｃの床１３Ａ〜１３Ｃ間に段差を生じさせることなく、大きなバルコニを形成することができる。
【００１５】
以上、本発明について好適な実施例を挙げて説明したが、本発明は、この実施例に限られるものでなく、本発明の要旨を逸脱しない範囲での変更が可能である。
上記実施例では、下屋バルコニ４について説明したが、本発明はこれに限られない。たとえば、ユニット内に外廊下部分を形成した外廊下ユニットを複数隣接配置して構成した外廊下の排水構造にも適用できる。
【００１６】
【発明の効果】
本発明のユニット式建物の排水構造によれば、バルコニユニットなどの屋外ユニットを隣接配置してバルコニや外廊下などを構成した場合でも、隣接するユニット間に段差が生じることがない。もとより、屋外ユニットの床上の雨水を確実に排水できる。
【図面の簡単な説明】
【図１】本発明の一実施例の外観を示す斜視図である。
【図２】同上実施例の平面図である。
【図３】図２の  ＩＩＩ−ＩＩＩ  線断面図である。
【図４】図２のＩＶ−ＩＶ線断面図である。
【図５】従来のユニット式建物を示す平面図である。
【図６】図５のＶＩ−ＶＩ線断面図である。
【符号の説明】
１              建物本体
４              下屋バルコニ
５Ａ〜５Ｃ      下屋バルコニユニット（屋外ユニット）
１３Ａ〜１３Ｃ  床
【図１】
0003562850.tif 000002
【図２】
0003562850.tif 000003
【図３】
0003562850.tif 000004
【図４】
0003562850.tif 000005
【図５】
0003562850.tif 000006
【図６】
0003562850.tif 000007